(57)【要約】【課題】既設の自動ドア装置への後付けが容易で、安価に設置できる、こじ開け防止用のロック装置を提供する。【解決手段】ロック装置１を、左右ドア体Ｄにそれぞれ螺合固着される係止部材２と、これに係脱する掛金体３と、これに固着されるプッシュロック装置４とで構成する。係止部材２は、左右ドア体Ｄの突き合わせ側端部付近の前面に螺合固着される取付部２１の左右方向一端部にフック部２２を備える。掛金体３は、支持板部３１の左右両側にフック部２２に係合する係合片３２を備える。プッシュロック装置４は、掛金体３から係止部材２に向かってロックピン４３を出没させて、係止部材２のストッパ部２３に係脱自在である。掛金体３を係止部材２に係合させ、プッシュロック装置４のロックピン４３を係止部材２のストッパ部２３に係合させて施錠すれば、掛金体３を２つの係止部材２，２間に錠止し、一対のドア体Ｄを結合して開放を阻止する。【選択図】図１
2011256584.tif 000002
【特許請求の範囲】
【請求項１】
閉鎖位置において端部が互いに突き合わされる左右一対のドア体を備える引き戸式自動ドア装置において、左右ドア体を閉鎖位置で拘束して錠止するためのロック装置であって、
左右ドア体の突き合わせ側端部付近の室内側面である前面にそれぞれ螺合固着される係止部材と、これらの係止部材に対し係合離脱自在の掛金体と、この掛金体に固着され掛金体を貫通して少なくとも一方の係止部材に向かってロックピンを出没自在のプッシュロック装置とを具備し、
前記係止部材は、前記ドア体の前面に取り付けられる取付部と、この取付部のドア体の突き合わせ側端部から取付部の他端側へ向かって延びるフック部とを具備し、少なくとも一方の係止部材には、前記ロックピンが係合し、係止部材に対する上下方向の掛金体の離脱を阻止するストッパ部を有し、
前記掛金体は、装着時に前記ドア体の前面に対面する支持板部と、この支持板部の左右両側から互いに接近する方向に延び、前記二つの係止部材のフック部の内側に介入することによって掛金体を係止部材に対して前方へ移動不可能に結合する係合片とを具備し、
前記プッシュロック装置は、前記掛金体の係合片が前記二つの係止部材のフック部に係合した位置で、前記ロックピンが前記係止部材のストッパ部に係合するように掛金体上に配置され、ロックピンがストッパ部に係合した状態で施錠により掛金体を２つの係止部材間に錠止し、一対のドア体の開放を阻止することを特徴とする引き戸式自動ドア装置のロック装置。
【請求項２】
前記係止部材のストッパ部は、他方の係止部材のそれと協働して前記ロックピンを受ける挿入孔を形成する切欠きを前記フック部に備え、前記ロックピンが前記二つの係止部材のストッパ部に係合することを特徴とする請求項１に記載の引き戸式自動ドア装置のロック装置。
【発明の詳細な説明】
【技術分野】
【０００１】
この発明は、建物の出入り口に設けられる引き戸式の自動ドア装置において、一対のドア体を閉鎖位置において錠止するロック装置に関し、更に詳しくは、施錠状態の一対のドア体が強制的にガイド溝から持ち上げられても両者の結合が外れることがない、自動ドアのこじ開け防止用のロック装置に係るものである。
【背景技術】
【０００２】
建物の出入り口となる開口部に左右一対のドア体を設け、このドア体を自動開閉機構により開口部の幅方向（左右方向）に開閉作動させるようにした引き戸式の自動ドア装置が知られている。このような自動ドア装置においては、ドア体の戸先側に、下方に向けて出没自在にロック体が設けられ、ドア体の移動案内をするガイド溝にロック受けが設けられる。全閉姿勢のドア体から下方に向けて突出するロック体が、ロック受けに係合することにより、ドア体の開放規制を行う。ところが、このようなロック装置においては、ドア体をバール等で強くこじ上げるような動作があった場合には、ロック体とロック受けとの係合が解除されることがあり、この状態でドア体を開方向へ移動させるとドアが開放してしまう。
その対策の一例として、ドア体の下部に設けた係合部と、ガイド溝内に設けた被係合部とを備えた自動ドア装置であって、係合部と被係合部に、ドア体を全閉状態で上方移動させようとした際に係合してこれを阻止すると共に、同ドア体を上方移動と同時に開方向移動させようとした際にも係合してこれを阻止するように、それぞれに上下で対向するフック部が形成されたものが知られている（例えば、特許文献１参照）。
【先行技術文献】
【特許文献】
【０００３】
【特許文献１】特開平１１−３３６４１０号公報
【発明の概要】
【発明が解決しようとする課題】
【０００４】
前記従来のものは、ドア体の下端面にロック片を固定する構成となっている。このため、ドア体を新規に設置する場合には適用に大きな問題はないが、既設のドア装置へ後付けで適用しようとする場合には、ドア体をガイドレールから取り外し、ドア体とガイドレールとにそれぞれロック片を設けなければならず、作業に大きな手数を要し、速やかな対応が困難であり、またコスト高になるという問題点がある。ここに本発明の解決すべき課題がある。
したがって、この出願に係る発明は、既設の自動ドア装置への後付けが容易で、安価に設置できるこじ開け防止用のロック装置を提供することを目的としている。
【課題を解決するための手段】
【０００５】
以下、添付図面の符号を参照して説明するが、本発明はこれに限定されるものではない。
上記課題を解決するための、この出願に係る発明のロック装置１は、左右ドア体Ｄを閉鎖位置で拘束して錠止する装置であり、左右ドア体Ｄにそれぞれ螺合固着される係止部材２と、これらの係止部材２に対し係合離脱自在の掛金体３と、掛金体３に固着されるプッシュロック装置４とを具備する。係止部材２は、左右ドア体Ｄの突き合わせ側端部付近の室内側面（前面）にそれぞれ固着される。プッシュロック装置４は、掛金体３を貫通して一方の係止部材２に向かってロックピン４３を出没させることにより、係止部材２に対し係合離脱自在である。係止部材２は、ドア体Ｄの前面に固着される取付部２１と、この取付部２１のドア体Ｄの突き合わせ側端部から取付部２１の他端側に向かって延びるフック部２２とを具備する。係止部材２の少なくとも一方には、プッシュロック装置４のロックピン４３に係合し、係止部材２に対する上下方向の掛金体３の離脱を阻止するストッパ部２３を設ける。掛金体３は、装着時にドア体Ｄに対面する支持板部３１と、この支持板部３１の左右両端部から互いに接近する方向に延び、二つの係止部材２のフック部２２の内側に介入することによって掛金体３を係止部材２に対して前方へ移動不可能に結合する係合片３２とを具備する。プッシュロック装置４は、掛金体３の係合片３２が、係止部材２のフック部２２の内側に介入した位置で、ロックピン４３が係止部材２のストッパ部２３に係合するように掛金体３上に配置される。ロックピン４３がストッパ部２３に係合した状態で施錠することにより、掛金体３を２つの係止部材２間に錠止し、左右一対のドア体Ｄを結合して開放を阻止する。
【発明の効果】
【０００６】
この出願に係る発明の装置は、構造が極めて簡単で、安価に得られ、既設の自動ドア装置へ後付けする場合に、ドア体の前面側に係止部材を螺合固着するだけで、極めて容易に取り付けが完了し、それにより、自動ドアのこじ開けを有効に阻止することができる。
【図面の簡単な説明】
【０００７】
【図１】本発明に係る引き戸式自動ドア装置のロック装置の分解斜視図である。
【図２】図１のロック装置における係止部材の取り付け状態の平面図である。
【図３】図１のロック装置における掛金体の背面図である。
【図４】図１のロック装置における掛金体の斜視図である。
【図５】図１のロック装置の正面図である。
【図６】図５におけるVI−VI断面図である。
【発明を実施するための形態】
【０００８】
図面を参照してこの発明の実施の形態を説明する。
図１において、ロック装置１は、閉鎖位置において端部が互いに突き合わされる左右一対のドア体Dを備える引き戸式自動ドア装置において、左右ドア体Dを閉鎖位置で拘束して錠止するための装置である。
【０００９】
ロック装置１は、二つの係止部材２と、掛金体３と、プッシュロック装置４とを具備する。係止部材２は、左右ドア体Dの突き合わせ側端部付近の室内側面（前面）にそれぞれ固着される。掛金体３は、係止部材２に対し係合離脱自在である。プッシュロック装置４は、掛金体３に固着され、掛金体３を貫通して両係止部材２，２に向かってロックピン４３を出没自在に構成される。
【００１０】
図１，図２に示すように、係止部材２は、矩形の金属板材の左右方向一端部をドア体Dの前面にドア体Dの突き合わせ辺に沿って上下方向に複数位置でねじ止めされる取付部２１と、この取付部２１の他端部に連続し取付部２１に対面するように略Ｕ字状に折り返されて取付部２１と間隔を置いて取付部２１の中間部に至るフック部２２と、フック部２２に他方のそれと協働してロックピン４３を受けるように前面に開口するストッパ部２３とを具備する。係止部材２には、フック部２２と取付部２１との間に係合間隙２５が形成される。ストッパ部２３は、ロックピン４３のピン受け孔によって構成される。このピン受け孔は、フック部２２の折り返し湾曲部のほぼ中央に設けられた切欠き２４によって他方のそれ協働して形成される。ストッパ部２３は、ロックピン４３で掛金体３の上下方向の離脱を阻止するものであれば、片側一方の係止部材２に挿入孔を設けたものとしてもよく、部品の汎用化のために、図示の実施形態では、両係止部材２の切欠き２４で形成する。
【００１１】
図３，図４に示すように、掛金体３は矩形の金属板材からなり、支持板部３１と、この支持板部３１の左右の側縁から裏面側において互いに接近する方向にそれぞれ延びた係合片３２と、支持板部３１の上縁から裏面側へ直角に起立し係合片３２の上縁に掛け止められ天板３３とを具備する。係合片３２は、係止部材２の係合間隙２５に挿入することによって掛金体３を係止部材２に対して前方へ移動不可能に結合する。天板３３は、係合片３２を係止部材２の係合間隙２５に挿入して掛金体３を下方にスライドさせると係止部材２の上縁に当接し、掛金体３を係止部材２に対して下方へ移動不可能に結合すると共に、ロックピン４３がストッパ部２３に挿入されるように位置決めされる。
【００１２】
図１、図６に示すように、プッシュロック装置４は、掛金体３に固着される円筒状固定ケース４１と、固定ケース４１に軸線方向に移動可能および回転可能に収容されたロックシリンダ４２と、ロックシリンダ４２からケース４１の後方へ突出するロックピン４３とを具備する。ロックシリンダ４２は、解錠状態において固定ケース４１の前面側に所定長さ突出しており、ロックピン４３の先端は掛金体３の貫通孔３１ｅに対面するように配置されている。ロックシリンダ４２を固定ケース４１に押し込むことによって、ロックピン４３を掛金体３から後方へ突出させると、ロックシリンダ４２が固定ケース４１に対して自動的に錠止される。キー４４をロックシリンダ４２に挿入して、固定ケース４１に対するロックシリンダ４２の錠止を解除すると、内蔵バネの付勢によってロックシリンダ４２が固定ケース３３から前方へ突出し、ロックピン４３が没入する。
【００１３】
掛金体３の係合片３２が、両係止部材２，２のフック部２２に係合すると共に、掛金体３の天板３３が係止部材２，２の上縁に突き当たった状態で、ロックピン４３が係止部材２，２のストッパ部２３に挿入されるように、プッシュロック装置４が掛金体３上に配置される。
【００１４】
ロックピン４３がストッパ部２３に挿入された状態で施錠されると、掛金体３が２つの係止部材２，２間に錠止され、したがって、一対のドア体Ｄ間の開放動作が阻止されることになる。
【００１５】
掛金体３を係止部材２に係合させるときには、図１の仮想線で示すように、係止部材２の上方に掛金体３を配置して、係合片３２を両フック部２２の係合間隙２５に挿入して下方ヘスライドさせ、図５、図６に示すように、天板３３が係止部材２，２の上縁に突き当たった位置で、プッシュロック装置４のロックピン４３を掛金体３から後方へ突出させて錠止する。取り外すときは、プッシュロック装置４を解錠してから、掛金体３を上方向にスライドさせて係止部材２から離脱させる。
【００１６】
ドア体Ｄにこのロック装置１が装着されると、閉鎖状態で、ドア体がバール等で強くこじ上げられ、ドア体Ｄのロック体とガイドレール側のロック受け（いずれも図示しない）との係合が解除されることがあっても、一対のドア体Ｄが掛金体３で結合されているので、これを開方向へ移動させることができない。
【符号の説明】
【００１７】
１    ロック装置
２    係止部材
２１  ねじ部
２２  フック部
２３  ストッパ部
２４  切欠き
２５  係合間隙
３    掛金体
３１  支持板部
３２  係合片
３３  天板
４    プッシュロック装置
４１  固定ケース
４２  シリンダ
４３  ロックピン
４４  キー
【図１】
2011256584.tif 000003
【図２】
2011256584.tif 000004
【図３】
2011256584.tif 000005
【図４】
2011256584.tif 000006
【図５】
2011256584.tif 000007
【図６】
2011256584.tif 000008